(57)【要約】【課題】  磁気回路の分解処理が容易で、磁気回路構成部品の再利用や分別廃棄を行ない易い環境対策を図ったスピーカユニットを提供する。【解決手段】  スピーカユニットの磁気回路を構成するトッププレート５とマグネット６の接触面およびマグネット６とヨーク７の接触面を接着材で接着固定したスピーカユニットにおいて、トッププレート５とマグネット６の接触面およびマグネット６とヨーク７の接触面に電熱線９１、９２を敷設し、磁気回路を分解する際に、電熱線９１、９２で接着剤を加熱して劣化させるように構成する。【選択図】  図１
2005323095.tif 000002
【特許請求の範囲】
【請求項１】
磁気回路を構成するトッププレートとマグネットの接触面およびマグネットとヨークの接触面を接着材で接着固定したスピーカユニットにおいて、
前記トッププレートとマグネットの接触面およびマグネットとヨークの接触面に電熱線を敷設し、磁気回路を分解する際に、前記電熱線で接着剤を加熱して劣化させるように構成したことを特徴とするスピーカユニット。
【請求項２】
前記電熱線は、接着剤に接触させて敷設したことを特徴とする請求項１記載のスピーカユニット。
【請求項３】
前記電熱線は、トッププレートの下面に設けた凹状部およびヨークのボトムプレートの上面に設けた凹状部へそれぞれ敷設したことを特徴とする請求項１または２記載のスピーカユニット。
【発明の詳細な説明】
【技術分野】
【０００１】
本発明は、スピーカユニットに係り、特に、磁気回路の分解処理を容易にし、磁気回路構成部品の再利用、あるいは分別廃棄に適するスピーカユニットに関する。
【背景技術】
【０００２】
一般に、外磁型スピーカユニットの磁気回路は、図３に示すように、トッププレート１とマグネット２およびヨーク３とによって構成されている。
【０００３】
この図３の磁気回路は、ボトムプレート３１の上面中心部に鉛直に設けたセンターポール３２有するヨーク３と、このヨーク３のボトムプレート３１上に載置されるリング状のマグネット２と、マグネット２の上面に設けられた円板型のトッププレート１とによって構成されている。また、この磁気回路は、トッププレート１とマグネット２およびヨーク３の各部品間に、主にアクリル系の接着剤４を介在させて一体に接着固定している。
【０００４】
ところで、近年、環境問題が重要視され、あらゆる分野でリサイクル技術およびリサイクル対応製品が提案されているが、スピーカユニットにおいても同様であり、特に、磁気回路の分解処理が容易にでき、磁気回路構成部品の再利用、あるいは分別廃棄に適したスピーカユニットが要求されている。
【０００５】
しかし、上述した図３に示すスピーカユニットの磁気回路は、接着剤４を用いて接着固定しているため、トッププレート１とマグネット２およびヨーク３を分解処理するためには、磁気回路部材を高温にすることにより、予め、接着剤４を劣化させておく必要があった。一般的には、スピーカユニット全体をオーブンに入れて加熱処理し、その後、加熱したスピーカユニットにハンマーなどで衝撃力を与えて劣化した接着部分を分断し、分解を行なっていた。この分解処理には、多大な熱エネルギーと衝撃力（運動エネルギー）を必要とし、磁気回路の接着固定が強固であればあるほど分解処理に手間がかかり、時には、磁気回路を構成する部品を損傷し、再利用ができない場合も生じていた。
【０００６】
上述したような接着剤を用いてトッププレートとマグネットおよびヨークを接着固定した磁気回路における種々の問題点を解決するために、次のような方法が提案されている。その１つの方法としては、非磁性材料からなるリベットを用いてトッププレートとマグネットおよびヨークを結合固着し磁気回路を構成する方法が提案されている（例えば、特許文献１参照）。
【０００７】
また、内磁型の磁気回路を構成するトッププレートとマグネットおよびヨークにそれぞれ設けた穴へ非磁性材料からなる棒状の結合部品を貫通させるとともに、トッププレートまたはヨークから突出した結合部品の突出部をカシメて３部品を圧着結合する方法が提案されている（例えば、特許文献２参照）。
【０００８】
さらに、トッププレートとマグネットおよびヨークとで構成した磁気回路を樹脂材からなる有底状のカバー部材内へ収容するとともに、このカバー部材をフレームへ圧着係合させることによって、磁気回路を接着剤などを使用することなくカバー部材とフレームとの間に固定する方法が提案されている（例えば、特許文献３参照）。
【０００９】
【特許文献１】特開２００１−１７７８９４号公報（第２―３頁、第１図）
【特許文献２】特開２００１−２４５３８７号公報（第５―１０頁、第１図）
【特許文献３】特開２００１−３０９４８８号公報（第２―５頁、第１図）
【発明の開示】
【発明が解決しようとする課題】
【００１０】
上述した従来のスピーカユニットにおいて、リベットを用いてトッププレートとマグネットおよびヨークを結合固着し磁気回路を構成する方法は、分解処理時にリベットをニッパ等の工具で切断する必要があるため、実施可能な範囲が小口径のスピーカユニットに限定されるという問題点があった。
【００１１】
また、このリベットを用いる方法は、リベットの一端をカシメてトッププレートの内径部分を圧縮力で結合固着方法を採用しているが、分解処理時にリベットをニッパ等の工具で容易に切断することができるようにするために、リベット自体を比較的やわらかい部材を用いて製作する必要があるため、大きな圧縮力を得ることができず、結合固着した磁気回路の相互位置ズレが生じる可能性が高いという問題点があった。
【００１２】
また、棒状の結合部品を用いてその突出部をカシメてトッププレートとマグネットおよびヨークを圧着固定し磁気回路を構成する方法は、カシメた部分を解除するためには、一般的な工具では難しいという問題点があった。また、この提案の方法では、磁気回路の中央に結合部品を挿通するための穴を設ける必要があるため、内磁型の磁気回路以外実施できないという問題点があった。
【００１３】
さらに、磁気回路を樹脂材からなるカバー部材内に収容し、磁気回路をカバー部材とフレームとの間に固定する方法は、磁気回路全体を包む大きな樹脂材からなるカバー部材を使用することになり、コストアップにつながるという欠点があった。また、分解処理を行なう時は、何らかの方法で樹脂材からなるカバー部材を破壊しなければならず、容易に廃棄処理を行なうことができないという問題点があった。
【００１４】
本発明は、上述の従来の問題点を解決するもので、磁気回路の分解処理が容易で、磁気回路構成部品の再利用や分別廃棄を行ない易い環境対策を図ったスピーカユニットを提供することを目的としている。
【課題を解決するための手段】
【００１５】
上記の目的を達成するために、本発明のスピーカユニットにおいては、磁気回路を構成するトッププレートとマグネットの接触面およびマグネットとヨークの接触面を接着材で接着固定したスピーカユニットにおいて、トッププレートとマグネットの接触面およびマグネットとヨークの接触面に電熱線を敷設し、磁気回路を分解する際に、電熱線で接着剤を加熱して劣化させるように構成したものである。
【００１６】
また、上記電熱線は、接着剤に接触させて敷設することが効果的である。
【００１７】
また、上記電熱線は、トッププレートの下面に設けた凹状部およびヨークのボトムプレートの上面に設けた凹状部へそれぞれ敷設することが好ましい。
【発明の効果】
【００１８】
本発明のスピーカユニットは、磁気回路の分解処理が容易で、磁気回路構成部品の再利用や分別廃棄を行ない易い環境対策を図ったスピーカユニットを提供することができる。
【発明を実施するための最良の形態】
【００１９】
スピーカユニットの磁気回路を構成するトッププレートとマグネットの接触面およびマグネットとヨークの接触面を接着材で接着固定したスピーカユニットにおいて、トッププレートとマグネットの接触面およびマグネットとヨークの接触面に電熱線を敷設し、磁気回路を分解する際に、電熱線で接着剤を加熱して劣化させるように構成する。
【実施例１】
【００２０】
本発明に係るスピーカユニットの実施例を図１および図２に基づいて説明する。
図１はスピーカユニットの磁気回路を示す半截断面図である。図２は磁気回路を構成する各部品および電熱線を示す斜視図である。
【００２１】
この実施例のスピーカユニットは、図１および図２に示すように、トッププレート５とマグネット６およびヨーク７とからなる外磁型の磁気回路を次のように構成している。
【００２２】
まず、ヨーク７は、ボトムプレート７１の上面の中心部に鉛直に設けたセンターポール７２を有している。また、このセンターポール７２の基端外周には、センターポール７２の外径よりも大きい外径を有するリング状のガイド段部７３を形成している。リング状のマグネット６は、ガイド段部７３の外径とほぼ等しい内径を有し、ボトムプレート７１の上面へ載置した際に、ガイド段部７３へ嵌合し、センター出しを行なうように構成している。トッププレート５は、所要の径と厚みとを有するリング体からなるものであって、マグネット６の上面へ載置された際に、センターポール７２の外周面とトッププレート５の内周面との位置関係を規定して磁気ギャップ８を形成している。
【００２３】
また、上記のように構成したトッププレート５は、マグネット６の上面へ載置したときに、マグネット６の上面と接触する面、すなわち、接着剤４を塗布する部分に、凹状部５１を形成し、この凹状部５１とマグネット６の上面との間に形成される空間内へ電熱線９１を敷設している。
【００２４】
さらに、上記のように構成したヨーク７は、マグネット６をボトムプレート７１の上面へ載置したときに、ボトムプレート７１の上面とマグネット６の下面とが接触する面、すなわち、接着剤４を塗布する部分に、凹状部７４を形成し、この凹状部７４とマグネット６の下面との間に形成される空間内へ電熱線９２を敷設している。なお、トッププレート５の外周に一部分に形成した切り欠き部５２およびボトムプレート７１の外周の一部分に形成したきり欠き部７５は、電熱線９１、９２へ直流電流を印加する際の電源供給端子（図示しない）を設ける箇所である。
【００２５】
このように、トッププレート５とマグネット６の接触面、およびヨーク７とマグネット６の接触面に、それぞれ凹状部５１と凹状部７４とを形成し、この凹状部５１、７４へ電熱線９１、９２を敷設したことにより、製品寿命を終えたスピーカユニットを分解処理してリサイクルする場合は、電熱線９１、９２へ直流電流を印加する。直流電流が印加された電熱線９１、９２は発熱し、電熱線９１、９２の近傍の接着剤４を劣化させる。このようにして、十分に加熱した後、ハンマーなどの工具で磁気回路へ衝撃力を与えることにより、磁気回路は容易に分解することができる。
【００２６】
このように、上記実施例においては、電熱線９１、９２へ直流電流を印加するだけで、容易に磁気回路を分解処理することができる。また、スピーカユニットを通常使用している時には、この電熱線９１、９２には、直流電流が印加されることはないため、スピーカユニットの再生動作には全く影響を与えることはない。
【００２７】
また、従来のオーブンによりスピーカユニット全体を加熱して分解処理する方法に比較して、消費電力を少なくすることができ、コスト的に有利である。また、従来のオーブンを使用して加熱する方法は、磁気回路の内部にある接着剤の部分まで高温にするには時間がかかったが、本発明の電熱線を用いる方法によれば、磁気回路内部、外部ともに均一に接着剤の劣化温度まで上昇させることができるため、短時間で磁気回路を分解処理することが可能となった。
【００２８】
なお、上述した実施例では、外磁型の磁気回路に本発明を実施した場合について述べたが、外磁型の磁気回路の限定されるものではなく、内磁型などの磁気回路へも同様に実施することが可能であり、同様の効果を得ることができる。
【図面の簡単な説明】
【００２９】
【図１】本発明に係るスピーカユニットの実施例を示す半截断面図である。
【図２】図１に示すスピーカユニットの磁気回路構成部品および電熱線の斜視図である。
【図３】従来のスピーカユニットの磁気回路を示す斜視図である。
【符号の説明】
【００３０】
１      トッププレート
２      マグネット
３      ヨーク
３１    ボトムプレート
３２    センターポール
４      接着剤
５      トッププレート
５１    凹状部
５２    切り欠き部
６      マグネット
７      ヨーク
７１    ボトムプレート
７２    センターポール
７３    ガイド段部
７４    凹状部
７５    切り欠き部
８      磁気ギャップ
９１、９２    電熱線
【図１】
2005323095.tif 000003
【図２】
2005323095.tif 000004
【図３】
2005323095.tif 000005